(57)【特許請求の範囲】
【請求項１】
キャビネットの後部に設けられ、冷凍サイクルにおけるコンプレッサが配された機械室と、
前記機械室と冷蔵庫の庫内とを前後に仕切ると共に、上部ほど後方に傾斜して配置された前記機械室の前壁と、
前記機械室内であって、前記前壁に沿って上部ほど後方へ傾斜して形成され、上部に空気出口が開口し、下部に空気入口が開口したダクトと、
前記ダクト内に収納され、前記ダクトの傾斜方向に沿って配された前記冷凍サイクルにおけるコンデンサと、
前記機械室内であって前記ダクトの後方に配され、前記ダクトからの空気を後方へ送風するファンと、
を有し、
前記コンデンサは、前記冷凍サイクルの冷媒が流れる冷媒チューブと、前記冷媒チューブに設けられ、かつ、互いに平行に設けられた複数の放熱フィンとを有し、前記放熱フィン間の空間が、前記ダクトにおける空気の流線方向に沿って形成されている、
ことを特徴とする冷蔵庫。
【請求項２】
前記機械室に空気を吸い込む吸気口が、前記機械室の底面前部に開口し、前記ダクトの前記空気入口と連通している、
ことを特徴とする請求項１に記載の冷蔵庫。
【請求項３】
前記放熱フィン間の空間が、前記ダクトの前記空気入口から前記空気出口への空気の流線方向に沿って形成されている、
ことを特徴とする請求項１に記載の冷蔵庫。
【請求項４】
前記コンデンサが、前記ダクトの前記空気入口から前記空気出口への空気の流線方向に対し傾斜して収納されている、
ことを特徴とする請求項１に記載の冷蔵庫。
【請求項５】
複数の前記吸気口が、複数の前記放熱フィンの間にそれぞれ開口している、
ことを特徴とする請求項２に記載の冷蔵庫。
【発明の詳細な説明】
【技術分野】
【０００１】
本発明の実施形態は、冷蔵庫に関する。
【背景技術】
【０００２】
従来の冷蔵庫において、コンデンサを機械室内に設置する場合、コンプレッサを冷却する送風ファンを、冷蔵庫の幅方向に送風するように設置すると共に、前記送風ファンの下流側に除霜水の蒸発皿を配置し、その蒸発皿の上方にコンデンサを設置している。
【先行技術文献】
【特許文献】
【０００３】
【特許文献１】特開２００９−７９７７８号公報
【発明の概要】
【発明が解決しようとする課題】
【０００４】
上記冷蔵庫においては、機械室の底面から空気を吸い込んだ場合、コンデンサの面積を確保しようとすると、コンデンサを空気の流線方向に拡大することとなる。そのため、空気の流線方向と直交するコンデンサの面、すなわち、コンデンサの前面の面積が確保し難くなり、コンデンサの出口付近の空気温度とコンデンサ温度の差が少なくなり、放熱性能が向上し難いという問題点がある。
【０００５】
そこで、本発明は上記問題点に鑑み、放熱性能を向上させつつ、コンデンサを機械室に設置することができる冷蔵庫を提供する。
【課題を解決するための手段】
【０００６】
本発明の実施形態は、キャビネットの後部に設けられ、冷凍サイクルにおけるコンプレッサが配された機械室と、前記機械室と冷蔵庫の庫内とを前後に仕切ると共に、上部ほど後方に傾斜して配置された前記機械室の前壁と、前記機械室内であって、前記前壁に沿って上部ほど後方へ傾斜して形成され、上部に空気出口が開口し、下部に空気入口が開口したダクトと、前記ダクト内に収納され、前記ダクトの傾斜方向に沿って配された前記冷凍サイクルにおけるコンデンサと、前記機械室内であって前記ダクトの後方に配され、前記ダクトからの空気を後方へ送風するファンと、を有し、前記コンデンサは、前記冷凍サイクルの冷媒が流れる冷媒チューブと、前記冷媒チューブに設けられ、かつ、互いに平行に設けられた複数の放熱フィンとを有し、前記放熱フィン間の空間が、前記ダクトにおける空気の流線方向に沿って形成されている、ことを特徴とする冷蔵庫を有することを特徴とする冷蔵庫である。
【図面の簡単な説明】
【０００７】
【図１】本発明の実施例１における機械室の側方から見た縦断面図である。
【図２】同じく上方から見た機械室の横断面図である。
【図３】図１におけるＡ−Ａ線断面図である。
【図４】図１におけるＢ−Ｂ線断面図である。
【図５】実施例１における冷凍サイクルの図である。
【図６】実施例２における機械室の側方から見た縦断面図である。
【図７】実施例３における機械室の横断面図である。
【図８】実施例４における機械室の横断面図である。
【図９】実施例５における後方から見た機械室の縦断面図である。
【発明を実施するための形態】
【０００８】
以下、本発明の一実施例の冷蔵庫１０について、図面に基づいて説明する。
【実施例１】
【０００９】
本発明の実施例１に係る冷蔵庫１０について、図１〜図５に基づいて説明する。
【００１０】
（１）冷蔵庫１０の構造
本実施例の冷蔵庫１０のキャビネット１２は、外箱と内箱とより形成され、その外箱と内箱との間に断熱パネル１３が収納されている。このキャビネット１２内部は、例えば上方から冷蔵空間、冷凍空間に仕切られ、冷蔵空間には冷蔵室と野菜室が設けられ、冷凍空間には製氷室と冷凍室１４が形成されている。
【００１１】
キャビネット１２の底部における後部、すなわち、冷凍室１４の後方には、機械室１６が形成されている。この機械室１６内部には、冷凍サイクル１８におけるコンプレッサなどが配置されている。
【００１２】
（２）機械室１６の構造
次に、図１〜図４に基づいて機械室１６の構造について説明する。
【００１３】
キャビネット１２の底部における後部に設けられた機械室１６は、キャビネット１２の底板２１、前壁２２、天井壁２４、両側壁２６、２８、機械室１６に対し着脱自在な背面板３０によって囲まれている。前壁２２は、機械室１６と前方にある冷凍室１４との仕切りである。この前壁２２と天井壁２４とは、一枚の金属板によって形成され、天井壁２４は水平に配置され、前壁２２は上部ほど後方に傾斜するように配置されている。
【００１４】
機械室１６内の一方の空間（図２〜図４において左側空間）には、コンプレッサ２０が配置されている。また、左側空間における側壁２６には、複数の空気排出口５４が開口している。
【００１５】
機械室１６内の他方の空間（図２〜図４において右側空間）の後部には、垂直に、かつ、左右方向に沿って立設された仕切り壁３６と、この仕切り壁３６の左端部から前壁２２に向かって立設された仕切り側壁３８とが設けられ、コンプレッサ２０が配置されている機械室１６の左側空間及び右側空間の前部と仕切られている。
【００１６】
仕切り壁３６及び仕切り側壁３８によつて区切られた機械室１６の右側空間の後部には、前壁２２に沿って斜めに平行に立設されたダクト壁３２が設けられている。このダクト壁３２は、前壁２２と同様に上部ほど後方に傾斜して設けられている。ダクト壁３２の高さは前壁２２よりも低く、ダクト壁３２と天井壁２４との間には空気出口３４が開口している。そして、ダクト壁３２と前壁２２とによってダクト４２が形成されている。なお、ダクト壁３２は、本実施例のように前壁２２と平行でなくても良い。
【００１７】
ダクト壁３２と前壁２２との間の空間であるダクト４２の底板２１、すなわち、機械室１６の底部の前部には、楕円形状の吸気口４０が、左右方向に沿って複数個開口している。これにより、ダクト４２の空気入口が、吸気口４０と連通している。
【００１８】
ダクト４２内部には、全体形状が直方体のコンデンサ４８が、ダクト４２の中を流れる空気の流線方向に沿って収納されている。このコンデンサ４８は、複数回屈曲したアルミニウム製の冷媒チューブ４４に、複数枚の板状の放熱フィン４６が互いに平行に取り付けられたフィンチューブである。このコンデンサ４８の冷媒チューブ４４内部を冷凍サイクル１８の冷媒が流れる。
【００１９】
仕切り壁３６には、コンプレッサ２０とコンデンサ４８とを冷却する送風ファン５０が設けられ、空気を前から後に送風する。また、仕切り壁３６の前方には、除霜水を溜めるための蒸発皿５２が配置されている。なお、上記したダクト壁３２は、送風ファン５０より高く、送風ファン５０を覆うように配置されている。
【００２０】
（３）冷凍サイクル１８の構成
次に、冷凍サイクル１８の構成について図５に基づいて説明する。
【００２１】
冷凍サイクル１８は、気体状の冷媒を高温高圧に圧縮して送り出すコンプレッサ２０、気体状の冷媒を液体状の冷媒に凝縮するコンデンサ４８、液体状の冷媒の熱を放熱する放熱パイプ５４、防露パイプ５６、液体状の冷媒を減圧するキャピラリーチューブ５８、液体状の冷媒を気化して冷却するエバポレータ６０が順番に接続され、最後にサクションパイプ６１を経てコンプレッサ２０に再び接続された構造である。
【００２２】
（４）機械室１６における空気の流れ
次に、機械室１６における空気の流れについて説明する。
【００２３】
送風ファン５０が回転すると、ダクト４２の底部にある空気入口、すなわち、複数の吸気口４０から空気が吸い込まれ、コンデンサ４８内部を通過する。この場合に、互いに平行に配された複数の放熱フィン４６によって形成されている空間が、吸気口４０から吸い込まれた空気の流線方向と平行であるので、空気が流れやすく、放熱フィン４６から熱を効率よく奪い、ダクト４２の空気出口３４に至る。空気出口３４に至った空気は、送風ファン５０を経て、蒸発皿５２の上部を通過して除霜水を強制的に蒸発させ、さらにコンプレッサ２０を通過するときにコンプレッサ２０を冷却して、空気排出口５４から排出される。
【００２４】
（５）効果
本実施例によれば、コンデンサ４８をダクト４２内部に収納することにより、コンデンサ４８の容積が縮小され、機械室１６以外の庫内容積が拡大できる。
【００２５】
また、ダクト４２を通過する空気によってコンデンサ４８を効率的に冷却でき、この場合に、互いに平行に配された複数の放熱フィン４６によって形成された空間に沿って空気が流れるため、放熱フィン４６に対する放熱性能がより向上する。
【００２６】
また、コンデンサ４８は、フィンチューブ形式を採用したため、コンデンサ４８の容積が縮小され、庫内容積を拡大することができる。
【００２７】
また、コンデンサ４８の冷媒チューブ４４は、アルミニウム製であるので軽量小型化ができる。
【００２８】
また、図１に示すように、奥行き方向における空気の流れが、ほぼＳ字状になるため、送風距離が長くなり、その間に放熱が行われることにより、放熱性能がより向上する。
【００２９】
また、蒸発皿５２は、送風ファン５０によって吹き出された風速が最も強い位置に設けられているため、除霜水の蒸発をより促進できる。
【実施例２】
【００３０】
次に、本発明の実施例２に係る冷蔵庫１０について図６に基づいて説明する。
【００３１】
本実施例と実施例１の冷蔵庫１０との相違点は、全体形状が直方体のコンデンサ４８の配置にある。
【００３２】
実施例１のコンデンサ４８は、ダクト４２の傾斜方向に沿って配されていた。
【００３３】
これに対し、図６に示すように、本実施例では、ダクト４２の傾斜方向に対し、やや起き上がった状態、すなわち、直方体のコンデンサ４８がダクト４２又は前壁２２に対し傾斜して配置されている。これにより、空気入口である吸気口４０から空気出口３４に向かう空気の流線方向に対し、傾けた状態で配置される。
【００３４】
本実施例によれば、コンデンサ４８が、空気の流線方向に対して傾いているため、空気の流線方向と直交するコンデンサの面、すなわち、コンデンサの前面の面積を拡大することができ、コンデンサ４８の放熱性能をより向上させることができる。
【実施例３】
【００３５】
次に、本発明の実施例３に係る冷蔵庫１０について図７に基づいて説明する。
【００３６】
本実施例と実施例１の異なる点は、複数の吸気口４０の配置にある。
【００３７】
実施例１の吸気口４０は、図２及び図４に示すように、放熱フィン４６に対応した位置に吸気口４０がそれぞれ開口している。
【００３８】
これに対し、図７に示すように、本実施例の楕円状の吸気口４０の前後方向の寸法は、コンデンサ４８の厚み寸法とほぼ同じであり、また、吸気口４０の幅方向は、コンデンサ４８の放熱フィン４６のフィンピッチと同等若しくはそれ以下に設定されている。そして、複数の吸気口４０は、フィンピッチと等間隔で、かつ、放熱フィン４６の間に開口し、さらに、コンデンサ４８の幅方向全てに並んで開口している。
【００３９】
本実施例によれば、放熱フィン４６幅の大きさの埃は吸気口４０でフィルタされるため、コンデンサ４８の放熱フィン４６に対する埃の付着を減少させることができる。
【００４０】
また、他にコンデンサ４８の上流にフィルタ手段を別途配置しても良い。
【実施例４】
【００４１】
次に、本発明の実施例４に係る冷蔵庫１０について図８に基づいて説明する。
【００４２】
本実施例と実施例１の冷蔵庫１０との異なる点は、送風ファン５０と仕切り壁３６の配置にある。
【００４３】
実施例１では図２に示すように、送風ファン５０の軸線方向が冷蔵庫１０の前後方向に設けられていた。
【００４４】
これに対し、図８に示すように、本実施例では、仕切り壁３６を前後方向に対してやや傾斜して設け、これによって、送風ファン５０の軸線方向が前後方向に対し傾斜し、送風ファン５０による空気の流線方向が機械室１６の内側に向くように配置されている。
【００４５】
本実施例によれば、送風ファン５０の軸線方向が機械室１６の内側に向くため、コンプレッサ２０により空気が当たり、コンプレッサ２０をより冷却できる。
【実施例５】
【００４６】
次に、本発明の実施例５の冷蔵庫１０について図９に基づいて説明する。
【００４７】
本実施例と実施例１の冷蔵庫１０の異なる点は、放熱フィン４６の配置にある。
【００４８】
実施例１では、図４に示すように、冷媒チューブ４４に取り付けられた上流側の放熱フィン４６の間隔と、下流側の放熱フィン４６との間隔は同じである。
【００４９】
これに対して、図９に示すように、本実施例では、上流側の放熱フィン４６の間隔よりも、下流側の放熱フィン４６の間隔を狭くしている。
【００５０】
本実施例によれば、下流側ほど放熱フィン４６の間隔を狭くすることにより、放熱性能をより向上させることができる。
【変更例】
【００５１】
本発明は上記各実施例に限らず、その主旨を逸脱しない限り種々に変更することができる。
【００５２】
上記実施例５では、放熱フィン４６の間隔を下流側ほど狭くしたが、これに限らず、上流側における放熱フィン４６と下流側における放熱フィン４６とを千鳥状に配し、その間を空気が流れるようにしてもよい。
【００５３】
上記各実施例では、吸気口４０を機械室１６の底板２１の前部に開口させたが、これに限らず、キャビネット１２の底部下方に空気流入用ダクトを設け、この空気流入用ダクトの前面をキャビネット１２の前面に開口させ、この空気流入用ダクトをダクト４２の空気入口に連通してもよい。
【符号の説明】
【００５４】
１０・・・冷蔵庫、１２・・・キャビネット、１６・・・機械室、１８・・・冷凍サイクル、２０・・・コンプレッサ、２２・・・前壁、３２・・・ダクト壁、３４・・・空気出口、３６・・・仕切り壁、３８・・・仕切り側壁、４０・・・吸気口、４２・・・ダクト、４４・・・冷媒チューブ、４６・・・放熱フィン、４８・・・コンデンサ、５０・・・送風ファン
【図１】
0005575532.tif 000002
【図２】
0005575532.tif 000003
【図３】
0005575532.tif 000004
【図４】
0005575532.tif 000005
【図５】
0005575532.tif 000006
【図６】
0005575532.tif 000007
【図７】
0005575532.tif 000008
【図８】
0005575532.tif 000009
【図９】
0005575532.tif 000010